(57)【要約】【課題】画像を再生すること。【解決手段】パソコン１００は、連写により撮影された複数の静止画を表示するための複数の表示領域を表示画面上に配置する設定手段と、複数の静止画を、それぞれの撮影日時に基づく表示順序で複数の表示領域のそれぞれに表示する画像表示手段と、画像表示手段によって表示された複数の静止画を、所定の経過時間ごとに隣の表示領域へ移動させて表示する画像再生手段とを備える。【選択図】図１
2013165391.tif 000002
【特許請求の範囲】
【請求項１】
連写により撮影された複数の静止画を表示するための複数の表示領域を表示画面上に配置する設定手順と、
前記複数の静止画を、それぞれの撮影日時に基づく表示順序で前記複数の表示領域のそれぞれに表示する画像表示手順と、
前記画像表示手順で表示した前記複数の静止画を、所定の経過時間ごとに隣の表示領域へ移動させて表示する画像再生手順とをコンピュータに実行させるための表示制御プログラム。
【請求項２】
連写により撮影された複数の静止画を表示するための複数の表示領域を表示画面上に配置する設定手順と、
隣り合う前記表示領域間で、表示する静止画を所定コマずつずらしながら、前記複数の表示領域に前記複数の静止画を表示する画像再生手順とをコンピュータに実行させるための表示制御プログラム。
【請求項３】
請求項１または２に記載の表示制御プログラムにおいて、
前記画像表示手順は、前記複数の静止画を所定のフレーム間隔で前記複数の表示領域に表示することを特徴とする表示制御プログラム。
【請求項４】
請求項１または２に記載の表示制御プログラムにおいて、
前記画像再生手順は、前記複数の静止画を所定の撮影時間間隔で前記複数の表示領域に表示することを特徴とする表示制御プログラム。
【請求項５】
請求項１〜４のいずれか一項に記載の表示制御プログラムにおいて、
前記連写により撮影された複数の静止画を時系列で並べた際の、前記複数の表示領域のいずれかに表示されている静止画の前記複数の静止画の中における位置を示す情報を表示する位置情報表示手順をさらに有し、
前記位置情報表示手順は、前記画像再生手順による静止画の移動に連動させて、前記位置を示す情報を更新することを特徴とする表示制御プログラム。
【請求項６】
請求項１〜５のいずれか一項に記載の表示制御プログラムにおいて、
前記表示画面上に配置する表示領域の数は任意に設定可能であることを特徴とする表示制御プログラム。
【請求項７】
請求項１〜６のいずれか一項に記載の表示制御プログラムにおいて、
前記表示画面上に配置する表示領域の大きさは任意に設定可能であることを特徴とする表示制御プログラム。
【請求項８】
請求項１〜７のいずれか一項に記載の表示制御プログラムにおいて、
前記画像表示手順は、前記複数の表示領域のうち、注目する画像を表示するための注目表示領域の大きさを他の表示領域よりも大きくし、前記注目表示領域からの前記表示画面上における距離が遠くなるほど、前記他の表示領域の大きさを小さくすることを特徴とする表示制御プログラム。
【請求項９】
連写により撮影された複数の静止画を表示するための複数の表示領域を表示画面上に配置する設定手順と、
前記複数の静止画を、それぞれの撮影日時に基づく表示順序で前記複数の表示領域のそれぞれに表示する画像表示手順と、
前記画像表示手順で表示した前記複数の静止画を、所定の経過時間ごとに隣の表示領域へ移動させて表示する画像再生手順とをコンピュータに実行させるための表示制御プログラムを記録した記憶媒体。
【請求項１０】
連写により撮影された複数の静止画を表示するための複数の表示領域を表示画面上に配置する設定手順と、
隣り合う前記表示領域間で、表示する静止画を所定コマずつずらしながら、前記複数の表示領域に前記複数の静止画を表示する画像再生手順とをコンピュータに実行させるための表示制御プログラムを記録した記憶媒体。
【請求項１１】
連写により撮影された複数の静止画を表示するための複数の表示領域を表示画面上に配置する設定手段と、
前記複数の静止画を、それぞれの撮影日時に基づく表示順序で前記複数の表示領域のそれぞれに表示する画像表示手段と、
前記画像表示手段によって表示された前記複数の静止画を、所定の経過時間ごとに隣の表示領域へ移動させて表示する画像再生手段とを備えることを特徴とする表示制御装置。
【請求項１２】
連写により撮影された複数の静止画を表示するための複数の表示領域を表示画面上に配置する設定手段と、
隣り合う前記表示領域間で、表示する静止画を所定コマずつずらしながら、前記複数の表示領域に前記複数の静止画を表示する画像再生手段とを備えることを特徴とする表示制御装置。
【発明の詳細な説明】
【技術分野】
【０００１】
本発明は、表示制御プログラム、表示制御プログラムを記録した記憶媒体、表示制御装置に関する。
【背景技術】
【０００２】
次のような画像再生装置が知られている。この画像再生装置は、動画を再生する際に、動画全体の内容が把握できるように、動画を構成する全コマから抽出した複数のコマを表示する（例えば、特許文献１）。
【先行技術文献】
【特許文献】
【０００３】
【特許文献１】特開２００１−１９７４４７号公報
【発明の概要】
【発明が解決しようとする課題】
【０００４】
しかしながら、従来の画像再生装置では、連写により撮影された複数の静止画に対して、撮影時間が連続する静止画を複数個並べて表示することはできなかった。
【課題を解決するための手段】
【０００５】
本発明による表示制御プログラムは、連写により撮影された複数の静止画を表示するための複数の表示領域を表示画面上に配置する設定手順と、複数の静止画を、それぞれの撮影日時に基づく表示順序で複数の表示領域のそれぞれに表示する画像表示手順と、画像表示手順で表示した複数の静止画を、所定の経過時間ごとに隣の表示領域へ移動させて表示する画像再生手順とをコンピュータに実行させることを特徴とする。
本発明による表示制御プログラムはまた、連写により撮影された複数の静止画を表示するための複数の表示領域を表示画面上に配置する設定手順と、隣り合う表示領域間で、表示する静止画を所定コマずつずらしながら、複数の表示領域に複数の静止画を表示する画像再生手順とをコンピュータに実行させることを特徴とする。
本発明による表示制御プログラムを記録した記憶媒体は、上記の表示制御プログラムを記録したことを特徴とする。
本発明による表示制御装置は、連写により撮影された複数の静止画を表示するための複数の表示領域を表示画面上に配置する設定手段と、複数の静止画を、それぞれの撮影日時に基づく表示順序で複数の表示領域のそれぞれに表示する画像表示手段と、画像表示手段によって表示された複数の静止画を、所定の経過時間ごとに隣の表示領域へ移動させて表示する画像再生手段とを備えることを特徴とする。
本発明による表示制御装置はまた、連写により撮影された複数の静止画を表示するための複数の表示領域を表示画面上に配置する設定手段と、隣り合う表示領域間で、表示する静止画を所定コマずつずらしながら、複数の表示領域に複数の静止画を表示する画像再生手段とを備えることを特徴とする。
【発明の効果】
【０００６】
本発明によれば、連写により撮影された複数の静止画に対して、撮影時間が連続する静止画を複数個並べて表示することができる。
【図面の簡単な説明】
【０００７】
【図１】パソコンの一実施の形態の構成を示すブロック図である。
【図２】画像表示処理の流れを示すフローチャート図である。
【図３】一覧画面の具体例を示す図である。
【図４】連写画像再生画面の具体例を示す図である。
【図５】連写画像の再生例を示す第１の図である。
【図６】連写画像の再生例を示す第２の図である。
【図７】連写画像の再生例を示す第３の図である。
【図８】連写画像の再生例を示す第４の図である。
【発明を実施するための形態】
【０００８】
図１は、本実施の形態における表示制御装置の一実施の形態の構成を示すブロック図である。表示制御装置としては、例えば、パーソナルコンピュータ（パソコン）１００が用いられ、このパソコン１００は、操作部材１０１と、接続ＩＦ（インターフェース）１０２と、制御装置１０３と、ＨＤＤ（ハードディスクドライブ）１０４と、モニタ１０５とを備えている。
【０００９】
操作部材１０１は、使用者によって操作される種々の装置、例えばキーボードやマウスを含む。接続ＩＦ１０２は、パソコン１００と外部機器とを接続するためのインターフェースである。本実施の形態では、パソコン１００は、この接続ＩＦ１０２を介してデジタルカメラと接続され、デジタルカメラからは撮影によって得られた画像ファイルが取り込まれる。なお、接続ＩＦ１０２としては、パソコン１００とデジタルカメラとを有線接続するためのＵＳＢインターフェースや、無線接続するための無線ＬＡＮモジュールなどが用いられる。
【００１０】
接続ＩＦ１０２を介して取り込まれる画像ファイルとしては、通常撮影により撮影された１枚の静止画データを記録した画像ファイルや連写撮影により撮影された複数の静止画（連写画像）を記録した画像ファイルとがある。なお、連写撮影により撮影された複数の連写画像を記録した画像ファイルは、例えば、１つの画像ファイル内に複数の連写画像を記録したＭＰＦ(Multi Picture Format)ファイルでもよいし、複数の連写画像をそれぞれ個別に記録した複数の画像ファイルであってもよい。以下の説明では、通常撮影により取得された画像ファイルを通常ファイルと呼び、連写ファイルにより取得された画像ファイルを連写ファイルと呼ぶこととする。
【００１１】
制御装置１０３は、ＣＰＵ、メモリ、およびその他の周辺回路によって構成され、パソコン１００の全体を制御する。なお、制御装置１０３を構成するメモリは、例えばＳＤＲＡＭ等の揮発性のメモリである。このメモリは、ＣＰＵがプログラム実行時にプログラムを展開するためのワークメモリや、データを一時的に記録するためのバッファメモリを含む。
【００１２】
ＨＤＤ１０４は、接続ＩＦ１０２を介して取り込まれた画像ファイル、すなわち通常ファイルや連写ファイルのデータや、制御装置１０３で実行される種々のプログラムのデータ等を記録するための記録装置である。なお、ＨＤＤ１０４に記録されるプログラムのデータは、ＣＤ−ＲＯＭやＤＶＤ−ＲＯＭなどの記憶媒体に記録されて提供され、使用者が当該記憶媒体を用いてプログラムのデータをＨＤＤ１０４にインストールすることによって、制御装置１０３がプログラムを実行できるようになる。本実施の形態では、ＨＤＤ１０４には、画像を表示するための画像表示アプリケーションがインストールされている。モニタ１０５は、例えば液晶モニタであって、制御装置１０３から出力される種々の表示用データが表示される。
【００１３】
本実施の形態におけるパソコン１００では、使用者は、画像表示のアプリケーションを起動して、ＨＤＤ１０４に記録されている画像ファイルの画像を閲覧することができる。このために、制御装置１０３は、使用者によって画像表示アプリケーションの実行が指示されると、以下の処理を実行する。図２は、本実施の形態における画像表示処理の流れを示すフローチャートである。以下、この図２を用いて画像表示処理の詳細について説明する。
【００１４】
ステップＳ１０において、制御装置１０３は、ＨＤＤ１０４から通常ファイルと連写ファイルとを読み出して、一覧画面上にそれらの画像を示すサムネイル画像を一覧表示する。例えば、制御装置１０３は、図３に示すような一覧画面をモニタ１０５に表示し、該一覧画面上にＨＤＤ１０４から読み出した通常ファイルと連写ファイルのサムネイル画像を一覧表示する。具体的には、制御装置１０３は、通常ファイルの場合には、ヘッダ部に記録されているサムネイル画像データを読み出して、一覧画面上に配置することにより、静止画に対応するサムネイル画像を表示する。また、連写ファイルの場合には、連写により撮影された複数の静止画の内の任意のフレーム、例えば先頭のフレームを代表フレームとして読み出し、該代表フレームを一覧画面上に配置することにより、連写ファイルに対応するサムネイル画像を表示する。
【００１５】
このとき、制御装置１０３は、使用者が一覧画面上で通常ファイルと連写ファイルとを区別できるようにサムネイル画像の表示形態を変更する。例えば、図３に示すように、通常ファイルに対応するサムネイル画像は、記録されているデータが１つの静止画データであることを示すために、１枚のサムネイル画像を表示する。これに対して、連写ファイルに対応するサムネイル画像は、記録されているデータが複数のフレームで構成される連写画像であることを示すために、代表画像に複数のフレームが重なっているように見せるための装飾枠を付して表示する。図３の例では、サムネイル画像３ａ、３ｄ、３ｆは、通常ファイルに対応するサムネイル画像であり、サムネイル画像３ｂ、３ｃ、３ｅは、連写ファイルに対応するサムネイル画像である。
【００１６】
また、図３に示す一覧画面では、表示するサムネイル画像が一覧画面内に収まらない場合には、使用者は、スクロールバー３ｇを操作して画面をスクロールさせることにより、他のサムネイル画像を表示させることができる。また、使用者は、一覧画面上に配置されているフォルダ選択ボタン３ｈを押下することにより、ＨＤＤ１０４内の画像ファイルを読み込むフォルダを変更することができる。また、使用者は、一覧画面上に配置された終了ボタン３ｉを押下することにより、アプリケーションを終了させることができる。
【００１７】
その後、ステップＳ２０へ進み、制御装置１０３は、使用者によって一覧画面上でいずれかのサムネイル画像が選択されたか否かを判断する。ステップＳ２０で肯定判断した場合には、ステップＳ３０へ進む。ステップＳ３０では、制御装置１０３は、使用者によって選択されたサムネイル画像が連写ファイルに対応するサムネイル画像であるか否かを判断する。ステップＳ３０で否定判断した場合には、ステップＳ４０へ進む。
【００１８】
ステップＳ４０では、制御装置１０３は、モニタ１０５に静止画再生画面を表示し、一覧画面上で使用者によって選択されたサムネイル画像に対応する通常ファイルをＨＤＤ１０４から読み出して該静止画再生画面上に画像を表示する。これによって、静止画再生画面上で画像が再生される。その後、後述するステップＳ１３０へ進む。
【００１９】
これに対して、ステップＳ３０で肯定判断した場合には、ステップＳ５０へ進む。ステップＳ５０では、制御装置１０３は、モニタ１０５に図４に示すような連写画像再生画面を表示する。連写画像再生画面には、連写撮影された複数のフレームを表示するための連写画像表示領域４ａと、再生中の連写画像の現在の再生位置を示すタイムラインバー４ｂと、連写画像の再生をコントロールするためのコントロールボタン４ｃと、連写画像の再生を終了して連写画像再生画面を閉じるための閉じるボタン４ｄとが配置されている。連写画像再生画面上に配置される連写画像表示領域４ａ、タイムラインバー４ｂ、コントロールボタン４ｃ、閉じるボタン４ｄのそれぞれについては後述する。
【００２０】
制御装置１０３は、一覧画面上で使用者によって選択されたサムネイル画像に対応する連写ファイルをＨＤＤ１０４から読み出し、連写画像の１フレーム目、すなわち一番最初に撮影された連写画像を連写画像表示領域４ａに表示する。この連写画像表示領域４ａは、連写により撮影された複数のフレームの内の所定数のフレームを表示するために、所定数のフレーム表示領域に分割されている。例えば、図４に示す例では、６コマ分のフレームを横並びで表示できるように、連写画像表示領域４ａ内は６つのフレーム表示領域に分割されている。また、図４では、連写画像表示領域４ａに表示される各フレームが連写画像のフレームであることを使用者が視覚的に把握できるように、連写画像表示領域４ａの周囲にフレーム枠を模した装飾を施してある。ステップＳ５０では、制御装置１０３は、図４に示すように、連写画像の１フレーム目を連写画像表示領域４ａ内の一番右のフレーム表示領域に表示する。その後、ステップＳ６０へ進む。
【００２１】
ステップＳ６０では、制御装置１０３は、連写画像の各フレームを時系列で連写画像表示領域４ａに順番に表示することにより、連写画像の再生を行う。具体的には、制御装置１０３は、連写画像表示領域４ａ内は６つのフレーム表示領域に順次フレームを表示していく。例えば、制御装置１０３は、図４に示したように連写画像表示領域４ａ内の一番右のフレーム表示領域に表示した１フレーム目を、あらかじめ設定された所定時間経過後に右から２番目のフレーム表示領域に移動させるとともに、一番右のフレーム表示領域には２フレーム目を表示する。制御装置１０３は、さらにあらかじめ設定された所定時間経過後に、１フレーム目と２フレーム目をそれぞれ左隣のフレーム表示領域に移動させるとともに、一番右のフレーム表示領域には３フレーム目を表示する。このように、連写画像の１フレームごとに表示する位置を左にずらしていくことにより、６フレーム目が表示された時点では、図５に示すように、連写画像表示領域４ａ内の６つのフレーム表示領域に１フレーム目から６フレーム目までが並べて表示されることになる。
【００２２】
このあらかじめ設定された所定時間とは、その撮影した連写速度を元に自動的に算出を行ってもよい。例えば、秒１０フレーム（秒１０コマ）撮影であれば１／１０秒、秒３０フレーム撮影であれば１／３０秒を所定時間とすることで、連写撮影時と同様な時間スケールで再生が行える。
また、このあらかじめ設定された所定時間をユーザーが任意に設定できるようにしてもよい。例えば、連写撮影時よりも相対的にスロー再生になるようにすることで、各フレームの確認時間を長めに確保することができる。
【００２３】
図６は、さらに連写画像の再生を続けた場合の連写画像表示領域４ａ内に表示されるフレームの変化を時系列で表した図である。図６（ａ）は、図５に示した１フレーム目から６フレーム目までが再生された状態であり、図６（ｂ）は、図６（ａ）の状態からさらにあらかじめ設定された所定時間が経過した場合のフレームの表示例を示している。この場合、連写画像表示領域４ａ内の６つのフレーム表示領域に２フレーム目から７フレーム目までが並べて表示されている。その後、あらかじめ設定された所定時間が経過するごとに、連写画像表示領域４ａ内のフレームは、図６（ｃ）、（ｄ）、（ｅ）の順に変化していく。
【００２４】
換言すれば、制御装置１０３は、連写画像表示領域４ａ内の隣り合うフレーム表示領域間で表示するフレームを所定コマずつずらしながら、６つのフレーム表示領域のそれぞれに所定のフレーム間隔で連写画像を表示する。そして、全ての連写画像の再生が終了するか、後述するように使用者によって連写画像の再生が停止されるまで、このような再生が続けられる。
【００２５】
その後、ステップＳ７０へ進み、制御装置１０３は、使用者によってタイムラインバー４ｂが操作されたか否かを判断する。タイムラインバー４ｂは、連写画像の現在の再生位置、すなわち連写画像全フレームに対する、連写画像表示領域４ａ内に表示されているフレームの位置を示すためのバーである。本実施の形態では、制御装置１０３は、連写画像の再生に連動させて、タイムラインバー４ｂ上における現在位置コントロール４ｂ−１の位置を更新する。具体的には、制御装置１０３は、連写画像の再生が進むにつれて、タイムラインバー４ｂ上における現在位置コントロール４ｂ−１の位置を右方向へ移動させることにより、連写画像の現在の再生位置を表示する。本実施の形態では、上述したように連写画像表示領域４ａ内に複数のフレームが表示されるため、その中のどのフレームの再生位置を現在位置コントロール４ｂ−１の位置が示すかを設計時に決定しておく必要がある。例えば、現在表示されているフレームの中の先頭のフレームの再生位置を表示するようにすればよい。
【００２６】
これによって、使用者は、タイムラインバー４ｂ上に表示される現在位置コントロール４ｂ−１の位置によって、連写画像の現在の再生位置を把握することができる。例えば、図４に示すように、現在位置コントロール４ｂ−１がタイムラインバー４ｂの左端に位置している場合には、現在、連写画像表示領域４ａ内には１フレーム目が表示されていると判断できる。また、図５に示すように、現在位置コントロール４ｂ−１がタイムラインバー４ｂの左端から右側に移動している場合には、タイムラインバー４ｂの全長と現在の現在位置コントロール４ｂ−１の表示位置とに基づいて、現在の連写画像の再生位置を把握することができる。
【００２７】
また、使用者は、タイムラインバー４ｂ上に表示される現在位置コントロール４ｂ−１の位置をドラッグして変更することにより、任意のフレームを連写画像表示領域４ａ内に表示させることができる。制御装置１０３は、使用者によってタイムラインバー４ｂ上の現在位置コントロール４ｂ−１の位置が変更された場合に、ステップＳ７０で肯定判断する。
【００２８】
ステップＳ７０で否定判断した場合には、後述するステップＳ１１０へ進む。これに対して、ステップＳ７０で肯定判断した場合には、ステップＳ８０へ進む。ステップＳ８０では、制御装置１０３は、使用者によるタイムラインバー４ｂの操作に応じた処理を実行する。すなわち、制御装置１０３は、使用者によって変更された現在位置コントロール４ｂ−１の位置に応じたフレームを連写画像表示領域４ａ内に表示させる。その後、ステップＳ９０へ進む。
【００２９】
ステップＳ９０では、使用者によってコントロールボタン４ｃが操作されたか否かを判断する。コントロールボタン４ｃは、図４や図５に示すように、ボタン４ｃ−１から４ｃ−７を含んでおり、それぞれのボタンには連写画像の再生状態を切り替えるための機能が割り当てられている。また、それぞれのボタンには、割り当てられた機能を示す図柄が付されている。ボタン４ｃ−１は、再生中の連写画像を先頭のフレームに移動させるためのボタンである。ボタン４ｃ−２は、連写画像の巻き戻しを行うためのボタンである。ボタン４ｃ−３は、１フレーム前へ戻すためのボタンである。ボタン４ｃ−４は、連写画像の再生を一時停止させるためのボタンである。また、再生の一時停止中には、ボタン４ｃ−４は、一時停止を解除するためのボタン、すなわち連写画像の再生を開始するためのボタンに切り替わる。ボタン４ｃ−５は、１フレーム先へ進めるためのボタンである。ボタン４ｃ−６は、連写画像の早送りを行うためのボタンである。ボタン４ｃ−７は、再生中の連写画像を最後のフレームに移動させるためのボタンである。
【００３０】
ステップＳ９０で否定判断した場合には、後述するステップＳ１１０へ進む。これに対して、ステップＳ９０で肯定判断した場合には、ステップＳ１００へ進み、制御装置１０３は、使用者によるコントロールボタン４ｃの操作に応じた処理を実行する。すなわち、制御装置１０３は、使用者によって操作されたボタンに割り当てられている機能を実行する。その後、ステップＳ１１０へ進む。
【００３１】
ステップＳ１１０では、制御装置１０３は、使用者によって閉じるボタン４ｄが押下されることにより、連写画像の再生終了が指示されたか否かを判断する。ステップＳ１１０で否定判断した場合には、ステップＳ７０へ戻る。これに対して、ステップＳ１１０で肯定判断した場合には、ステップＳ１２０へ進み、制御装置１０３は、連写画像再生画面を閉じて、図３に示した一覧画面に戻す。その後、ステップＳ１３０へ進む。
【００３２】
ステップＳ１３０では、制御装置１０３は、使用者によって、図３に示した一覧画面上の終了ボタン３ｉが押下されることにより、アプリケーションの終了が指示されたか否かを判断する。ステップＳ１３０で否定判断した場合には、ステップＳ２０へ戻る。これに対して、ステップＳ１３０で肯定判断した場合には、処理を終了する。
【００３３】
以上説明した本実施の形態によれば、以下のような作用効果を得ることができる。
（１）制御装置１０３は、連写画像表示領域４ａ内で所定時間ごとに連写画像の各フレームを隣のフレーム表示領域に順番に移動させて表示するようにした。これによって、撮影時間が連続する連写画像を複数個並べて表示することができ、さらに再生に当たって動画を再生するような表示効果を付すことができる。
【００３４】
（２）制御装置１０３は、連写画像を所定のフレーム間隔でフレーム表示領域に表示するようにした。これによって、それぞれのフレーム表示領域に表示する連写画像を一定時間ごとに切り替えることができる。
【００３５】
（３）制御装置１０３は、連写画像再生画面に連写画像の現在の再生位置を示すタイムラインバー４ｂを表示し、連写画像の再生に連動させて、タイムラインバー４ｂ上における現在位置コントロール４ｂ−１の位置を更新するようにした。これによって、使用者は、現在位置コントロール４ｂ−１の位置によって連写画像の再生の進捗状況を把握することができる。
【００３６】
―変形例―
なお、上述した実施の形態の表示制御装置は、以下のように変形することもできる。
（１）上述した実施の形態では、制御装置１０３は、連写撮影により撮影された複数の連写画像を対象として、図４〜６に示した連写画像再生画面での再生を行う例について説明した。しかしながら、本発明は、複数フレームの静止画が時系列で連続して撮影されていれば、連写画像以外にも適用可能である。例えば、複数フレームで構成される動画を再生する場合にも本発明は適用可能である。
【００３７】
（２）上述した実施の形態では、制御装置１０３は、連写画像表示領域４ａ内は６つのフレーム表示領域に分割されている例について説明した。しかしながら、連写画像表示領域４ａ内のフレーム表示領域の分割数は６つに限定されない。また、使用者は、連写画像表示領域４ａ内のフレーム表示領域の分割数を任意に変更できるようにしてもよい。また、使用者は、連写画像表示領域４ａ内のそれぞれのフレーム表示領域の大きさを任意に変更できるようにしてもよい。
【００３８】
（３）上述した実施の形態では、制御装置１０３は、図５、６で上述したように、連写画像の各フレームを１フレームごとに連写画像表示領域４ａ内の表示位置を左にずらして順番に表示する例について説明した。しかしながら、制御装置１０３は、連写画像を一定のフレーム間隔で連写画像表示領域４ａ内の表示位置を左にずらして順番に表示するようにしてもよい。例えば、１フレーム間隔で表示する場合には、１フレーム目の隣に３フレーム目が表示され、さらにその隣に５フレーム目が表示される。また、制御装置１０３は、連写画像を一定の撮影時間間隔で連写画像表示領域４ａ内の表示位置を左にずらして順番に表示するようにしてもよい。例えば、０．５秒間隔で表示する場合には、１フレーム目の隣に０．５秒後に撮影されたフレームが表示され、さらにその隣に１．０秒後に撮影されたフレームが表示される。
【００３９】
（４）上述した実施の形態では、制御装置１０３は、あらかじめ設定された所定時間間隔でフレームの表示を更新して行く例について説明した。しかしながら、フレームの表示を更新する時間間隔は使用者が任意に変更できるようにしてもよい。また、制御装置１０３は、連写撮影時の各フレームの撮影時間間隔を特定し、該撮影時間間隔に応じてフレームの表示を更新する時間間隔を変更するようにしてもよい。
【００４０】
（５）上述した実施の形態では、制御装置１０３は、図４、５に示したような連写画像再生画面を表示して、連写画像を再生する例について説明した。しかしながら、連写画像の再生方法はこれに限定されない。例えば、図７に示すように、連写画像表示領域４ａ内の注目するフレーム表示領域の大きさを最も大きくし、該注目するフレーム表示領域からの画面上の距離が遠くなるほど、フレーム表示領域の大きさを小さくするようにしてもよい。図７では、連写画像表示領域４ａ内に７つのフレーム表示領域を配置し、中央のフレーム表示領域を注目するフレーム表示領域として設定した場合の例を示している。これにより、使用者は、注目するフレーム表示領域内に表示された連写画像に注目しつつ、その前後に撮影された連写画像も確認することが可能となる。なお、この場合は、タイムラインバー４ｂ上における現在位置コントロール４ｂ−１の位置は、注目するフレーム表示領域内に表示された連写画像の位置に連動させることが好ましい。
【００４１】
あるいは、図８に示すように、図３の一覧画面上に吹き出し状のポップアップウィンドウ８ａを表示して、該ポップアップウィンドウ８ａ内に連写画像再生画面を表示するようにしてもよい。これにより、使用者は、一覧画面上で他のサムネイル画像を確認しながら連写画像を再生させることが可能となる。
【００４２】
（６）上述した実施の形態では、表示制御装置としてパソコン１００を用いる例について説明した。しかしながら、画像ファイルや動画ファイルを読み出して表示することができる他の装置、例えば、携帯端末やデジタルカメラ等にも本発明を適用することができる。
【００４３】
なお、本発明の特徴的な機能を損なわない限り、本発明は、上述した実施の形態における構成に何ら限定されない。また、上述の実施の形態と複数の変形例を組み合わせた構成としてもよい。
【符号の説明】
【００４４】
１００  パソコン、１０１  操作部材、１０２  接続ＩＦ、１０３  制御装置、１０４  ＨＤＤ、１０５  モニタ
【図１】
2013165391.tif 000003
【図２】
2013165391.tif 000004
【図３】
2013165391.tif 000005
【図４】
2013165391.tif 000006
【図５】
2013165391.tif 000007
【図６】
2013165391.tif 000008
【図７】
2013165391.tif 000009
【図８】
2013165391.tif 000010